(57)【要約】      （修正有）【課題】使用水量の削減と染色効率の向上を可能にする、ローラー式輸送装置を備えた布地染色機を提供する。【解決手段】機械本体１内には、複数の輸送用ローラー２１が配列してなるローラー式輸送装置２が設けられる。布地３は、機械本体１内に設けられた染色管１１を通過した後、前記ローラー式輸送装置２上へと落ちる。更に前記ローラー式輸送装置２によって、布地３は前へ送られて機械本体１内の布誘導歯車４とノズル５を通過した後、再び前記染色管１１へ入って染色される。【選択図】図１
0003194565.tif 000002
【実用新案登録請求の範囲】
【請求項１】
ローラー式輸送装置を備えた布地染色機であって、
前記布地染色機の機械本体内には、染色管と、ノズルと、布誘導歯車が設けられ、
前記機械本体底部と前記ノズルの間には、ポンプが接続され
前記ポンプは、前記機械本体内の染液を直接抽出するとともに、前記染液によって布地が染色されるように前記染液を前記ノズルと前記染色管へ送り、
布地を染色した後の前記染液は、直接前記機械本体底部へと落ち、
更に前記機械本体内部には、複数の輸送用ローラーが配列されてなるローラー式輸送装置が設けられることを特徴とする、ローラー式輸送装置を備えた布地染色機。
【考案の詳細な説明】
【技術分野】
【０００１】
本考案は、布地を染色するための染色機に関し、特にローラー式輸送装置が布地の循環輸送を助けることにより、消費水量を大幅に削減し、染色効率を向上させることができる、ローラー式輸送装置を備えた布地染色機に関する。
【背景技術】
【０００２】
従来の一般的な布地染色機の布地染色加工は、ポンプによって加圧された染液が熱交換器を経由して加熱或いは冷却された後、ノズルに入り、出力されるか、或いは溢流の水力によって、染色機の布滞留槽に戻る。また布地は、布誘導歯車によって連動されて（或いは布誘導歯車を必要とせず）ノズルに入り、ノズルによって出力されるか、或いは溢流の力に連動されることにより、布地は、染色管を経由して染め釜本体に戻った後、染液の浮力と推力によって機械本体前方へ送られる、というように循環する。これと同時に、ポンプが助剤を染色機中に加圧注入する。染液と布地は、循環中に熱交換器によって加熱保温・冷却される過程において、染料が布地に吸収されることにより、精練・染色及び水洗効果が得られる。
【考案の概要】
【考案が解決しようとする課題】
【０００３】
本考案は、布地を安定的且つ均一な状態でローラー上に配列・積重ねるとともに、ローラーで輸送して、布地を安定的に循環させることにより、大幅に消費水量を削減し、更に実際に染布する量を増やす効果が得られる、ローラー式輸送装置を備えた布地染色機を提供することを目的とする。
【課題を解決するための手段】
【０００４】
上述の目的を達成するため、本考案は、染色機の機械本体内に布地循環センサー遊び歯車と布地移動センサーが設けられるとともに、コンピュータ或いはプログラムによって制御される。前記布地循環センサー遊び歯車が機械本体内の布地について動いていないと感知した時、前記ローラー式輸送装置は、運転停止、或いは加速、或いは減速する。また、前記布地移動センサーが布地の移動速度について速過ぎる・遅すぎる、或いは詰まって停止していると感知した時、前記ローラー式輸送装置は、運転速度の調整や、場合によっては運転停止するように自動で制御される。以上により、布地が詰まったり強く引っ張られたりして、機械や布地の品質が損なわれることを防止する。
【０００５】
また、本考案の染色機の機械本体には、染色管と、機械本体内部に位置するノズル及び布誘導歯車とが設けられる。布地は、前記ローラー式輸送装置によって循環輸送されることにより、布地循環センサー遊び歯車と布誘導歯車を経由してノズルに入るとともに染色管を通る過程において、染液との相互作用により染色される。更に、コンピュータプログラムによって前記布地染色機の運転を制御する制御ボックスが設けられる。このうち、布地循環センサー遊び歯車と布地移動センサーは、制御ボックスによって制御される。布地循環センサー遊び歯車が布地について動いていないと感知した時、前記ローラー式輸送装置は、運転を停止する。また布地移動センサーが布地の移動速度について速過ぎる・遅過ぎる、或いは詰まっていると感知した時、前記ローラー式輸送装置は、運転速度を下げる・上げる、或いは運転停止するように制御される。同時に、布地循環センサー遊び歯車の速度を検知することにより、布地の循環速度が同期するように制御、或いは矯正することができる。
【図面の簡単な説明】
【０００６】
【図１】本考案の染色機の構造を示した概略図である。
【図２】本考案の染色機のもう一つの実施例を示した概略図である。
【考案を実施するための形態】
【０００７】
（実施例１）
図１を参照する。図は、本考案が提供するローラー式輸送装置を備えた布地染色機である。機械本体１内部の上方には、布地３を通過させるための染色管１１が設けられ、機械本体１前端の上方には、ノズル５と布誘導歯車４が設けられる。布誘導歯車４下方には、布地循環センサー遊び歯車４１が設けられる。更に、機械本体１内の染色管１１下方には、ローラー式輸送装置２が設けられる。ローラー式輸送装置２は、複数のローラー２１が組み合わされてなるとともに、全ての或いは一部のローラー２１が動力システムと接続されることにより（図示せず）、駆動されて回転する。更にローラー式輸送装置２には、布地移動センサーが設けられる（図示せず）。機械本体１の後端或いは前端には、機械本体１の傾斜方向に応じて蓄液槽１２が設けられる。蓄液槽１２底部は、濾過器１２１が設けられるとともに管路によってノズル５と接続される。前記管路上には、ポンプ７及び熱交換器８が設けられ、更にポンプ７は管路によって助剤槽６と接続される。
【０００８】
本考案の運転方法において、布地３は、まず機械本体１内に送られた後、布地循環センサー遊び歯車４１を経由するとともに布誘導歯車４に連動されてノズル５に入り、染色管１１へ送られ、続いて布誘導板１３を経由した後、ローラー式輸送装置２上へと落ちて、ローラー２１によって前端へ輸送される、というように循環する。またポンプ７は、蓄液槽１２中に蓄積された染液を抽出するとともに熱交換器８を通過させた後、ノズル５から出力させて、布地３を押し動かす。また染液は、ノズル５と染色管１１において、同時に布地３に対して染色作用を生じる。染色管１１尾端から落ちた染液は、機械本体１底部まで落ちるとともに、大部分の染液は直接蓄液槽１２へ落ち、残りの一部分の染液は傾斜した底部に沿って蓄液槽１２へ流れる。更に染液は、ポンプ７によって抽出されて熱交換器８へ送られた後、ノズル５から出力され、染色管１１を経由して機械本体１へ落ちる、というように循環する。
【０００９】
前述した布誘導歯車４とローラー式輸送装置２の運転速度は、制御ボックス９によって制御されることにより、布地３の循環速度と同期するとともに、自由に速度調整ができる。制御ボックス９は、布地３の輸送過程中に以下の制御を行う。即ち、布地循環センサー遊び歯車４１が布地３について動いていない、或いは速過ぎる、或いは遅過ぎると感知した時、制御ボックス９は、ローラー式輸送装置２に対して運転停止、或いは加速、或いは減速の指令を出す。また、布地移動センサーが布地３について、ローラー式輸送装置２上における輸送速度が速過ぎる、或いは遅過ぎると感知した時、制御ボックス９は、減速・加速、或いは運転停止するよう自動で運転を調整する。
【００１０】
（実施例２）
図２は、本考案のローラー式輸送装置２を、弧形の蓄液槽１２を備えた染色機に使用した実施例を示している。本実施例における弧形の蓄液槽１２底部は、弧面形状に応じて複数の輸送用ローラー２１が配列して設けられることにより、ローラー式輸送装置２をなしている。これにより、布地を輸送することができる。
【００１１】
総じて言えば本考案は、ローラー式輸送装置によって、染液が布地を連動して循環するという従来における方法を代替するとともに、機械本体１前端に設けられた布地循環センサー遊び歯車４１と布地移動センサーが布地３の輸送状況を効果的に検知し、且つコンピュータ或いはプログラムによる制御方法を合わせることにより、布地３の輸送速度に異常がある時に矯正や調整を行い、場合によっては自動停止することが可能なため、布地３が不正常な輸送速度の影響を受けて傷つくことを防ぐと同時に、機械の破損を防ぐことができる。
【符号の説明】
【００１２】
１            機械本体
１１   染色管
１２   蓄液槽
１２１ 濾過器
１３   布誘導板
２            ローラー式輸送装置
２１   輸送用ローラー
３            布地
４            布誘導歯車
４１   布地循環センサー遊び歯車
５            ノズル
６            助剤槽
７            ポンプ
８            熱交換器
９            制御ボックス
【図１】
0003194565.tif 000003
【図２】
0003194565.tif 000004